(57)【要約】【課題】  本発明の衣料品の型崩れ防止用パッドにあっては、衣料品の型の保持は勿論であるが、型崩れの発生もなく、衣料品の搬送や形状の保持が十分であり、従来より問題とされていた型崩れや皺の発生を生ずるという解決したものである。【解決手段】平らなプラスチックシ−トに接触抵抗の極めて大きいプラスチックフォ−ムシ−トを接着し、当該プラスチックフォ−ム側を衣料品に対して接触側として真空成形してなることを特徴とする衣料品の型崩れ防止用パッドで。Ｂ‥パッド、ＰＳシ−ト、軟質ウレタンフォ−ム。【選択図】  図５
2005162246.tif 000002
【特許請求の範囲】
【請求項１】
平らなプラスチックシ−トにプラスチックフォ−ムシ−トを接着し、当該プラスチックフォ−ム側を衣料品に対して接触側として真空成形してなることを特徴とする衣料品の型崩れ防止用パッド。
【請求項２】
プラスチックシ−トがＰＳ、ＰＰ、ＰＥである請求項１記載の衣料品の型崩れ防止用パッド。
【請求項３】
プラスチックフォ−ムシ−トがウレタンフォ−ム、ＰＳフォ−ム、ＰＰフォ−ム、ＰＥフォ−ム、塩ビフォ−ムである請求項１記載の衣料品の型崩れ防止用パッド。
【発明の詳細な説明】
【技術分野】
【０００１】
本発明は衣料品における形状の安定のためのパッドであり、具体的には、衣服の襟元やブラジャ−の型崩れ防止用パッドに係るものである。
【背景技術】
【０００２】
以下、本発明における説明を衣服の襟元の型崩れを中心として説明すると、従来より衣服の搬送や保管時にあって、ＰＰ樹脂の真空成形によるパッドが採用されている。
【０００３】
図１はその代表例を示すものであり、約０．１ｍｍ程度のＰＰシ−トを真空成形し、衣服の襟形状にした椀状のパッド１０が用いられている。図中、１１は図示しないハンガ−等の桟に引っ掛ける掛止部であり、１２は衣服の襟と接触する環状部である。かかるパッド１０は掛止部１１の穴１３を図示しない桟に通し、衣服の襟元を環状部１２に当接し、順次衣服を複数枚重ねて搬送等に供されるものである。
【０００４】
しかるに、搬送時には振動や揺れが生じるために、衣服の襟元が比較的平滑な環状部３からずれることもあり、型が崩れたり、妙な癖付けが生じたりすることが多かった。そして、衣料品に接触するパッドは衣料品に比べて比較的硬いため、パッドの形状による癖付けが発生しやすかった。
【発明の開示】
【発明が解決しようとする課題】
【０００５】
本発明は、衣服の襟元やブラジャ−等の衣料品の型崩れ防止用パッドに係るものであり、パッドを特別な構成にしたことにより課題を解決したものである。
【課題を解決するための手段】
【０００６】
本発明の要旨は、平らなプラスチックシ−トにプラスチックフォ−ムシ−トを接着し、当該プラスチックフォ−ム側を衣料品に対して接触側として真空成形してなることを特徴とする衣料品の型崩れ防止用パッドに係るものである。
【発明の効果】
【０００７】
本発明の衣料品の型崩れ防止用パッドにあっては、衣料品の型の保持は勿論であるが、型崩れの発生もなく、衣料品の搬送や形状の保持が十分であり、その効果は大きい。
【発明を実施するための最良の形態】
【０００８】
本発明は真空成形可能なプラスチックシ−トとプラスチックフォ−ムシ−トとを接着しこれを一体化したものであり、これを衣料品の形状に合わせて真空成形し、プラスチックフォ−ムシ−ト側を衣料品に接触するようにパッドを形成したものである。
【０００９】
このため、プラスチックフォ−ムシ−トの摩擦抵抗が大きいために運送中の衣料品にずれが発生する危険性は小さく、そのまま完成品として販売に供することができることとなったものである。
【００１０】
そして、パッドを構成する部材として、真空成形ができるプラスチックシ−トが適当であり、例えばＰＳ、ＰＰ、ＰＥが代表的なものである。又、このシ−トに接着させるフォ−ムシ−トとしては、例えばウレタンフォ−ム、ＰＳフォ−ム、ＰＰフォ−ム、ＰＥフォ−ム、塩ビフォ−ムがあり、中でも軟質のウレタンフォ−ムが好適である。そして、両者を接着剤にて一体化した後、フォ−ム側を衣料品に接触する側として真空成形してパッドを得るものであり、同一の型によって同一のパッドが任意数製造され、使用に供されるものである。
【００１１】
勿論、使用の際には衣料品に対して一つおきに用いられ、これらを上下に又は左右に重ね合わせることが可能であり、場合によっては複数おきに使用することも可能である。又、上下の場合には衣料品の型が崩れやすい最も下側にこれを用いるだけの場合でもよく、重ねて用いることにより搬送時や保管時にスぺ−スをさほど取らないというメッリトをもたらすものである。
【実施例】
【００１２】
以下、本発明を実施例をもって更に詳細に説明する。
図２〜図３は本発明の第１例における衣料品の襟に合せて用いられるパッドＡであり、図２は正面図、図３はＡ−Ａ線端面図である。このパッドＡは約０．３ｍｍのＰＳシ−ト２の一面に５ｍｍの軟質ウレタンフォ−ム３を接着し、これを真空成形したものである。図中、４は図示しないハンガ−等の桟に引っ掛ける掛止部であり、５は衣服の襟と接触する環状部である。かかるパッドＡは掛止部４の穴６を図示しない桟に通し、衣服の襟元を環状部５に当接し、順次衣服を複数枚重ねて搬送等に供されるものである。勿論、環状部５には接触抵抗の大きい軟質ウレタンフォ−ム３が接着しているため、衣服の襟元がずれるというような欠点は全くなくなるものである。
【００１３】
尚、掛止部４の穴６は楕円部６ａと中央の略半円部６ｂとからなっており、使用時にこれを折り曲げて桟に通すものであるが、中央に半円部６ｂを形成したことから、比較的細目の、又、断面丸形の桟にも利用可能である。勿論、予めこの穴６を打ち抜いておくことも可能である。
【００１４】
図４〜図５は本発明の第２例におけるブラジャ−用パッドＢであり、図４は正面図、図５はＢ−Ｂ線端面図である。このパッドＢも又約０．３ｍｍのＰＳシ−ト２の一面に５ｍｍの軟質ウレタンフォ−ム３を接着し、これを真空成形したもので、乳房状に二連となっている。そして、この使用法の一例として述べれば、図６にて示すように、搬送時には再開にこのパッドＢを用い、これにブラジャ−Ｃを順次重ねてゆき、最上位に至って第２のパッドＢを重ねるものであり、これによって搬送時に荷崩れすることはなく、勿論ブラジャ−Ｃに無用の皺等が生じることもなくなるものである。
【００１５】
尚、この例にあって、販売コ−ナ−のカウンタ−にもそのまま適用可能であり、このパッドＢ上にブラジャ−Ｃを置くことによりより立体的に見え、極めて見栄えのする状況を提供できるものである。
【産業上の利用可能性】
【００１６】
本発明のパッドは上記したように衣服等の搬送時や保管時に適用可能であるばかりでなく、販売時のカウンタ−等に置くことにより、より商品が引き立って見える等大きな特徴を備えたものである。
【図面の簡単な説明】
【００１７】
【図１】図１は従来のパッドを示す斜視図、ａ−ａ線、ｂ−ｂ線の端面図である。
【図２】図２は本発明のパッドの第１例Ａを示す正面図である。
【図３】図３は図２におけるＡ−Ａ線での端面図である。
【図４】図４は本発明のパッドの第２例Ｂを示す正面図である。
【図５】図５は図４におけるＢ−Ｂ線での端面図である。
【図６】図６は図４におけるパッドＢを用いたブラジャ−Ｃの運搬図である。
【符号の説明】
【００１８】
Ａ、Ｂ‥パッド、
Ｃ‥ブラジャ−、
２‥ＰＳシ−ト、
３‥軟質ウレタンフォ−ム、
４‥掛止部、
５‥環状部、
６、６ａ、６ｂ‥係止穴。
【図１】
2005162246.tif 000003
【図２】
2005162246.tif 000004
【図３】
2005162246.tif 000005
【図４】
2005162246.tif 000006
【図５】
2005162246.tif 000007
【図６】
2005162246.tif 000008